(57)【要約】  電話番号をディスプレイする方法および装置が開示される。電話番号が携帯電話またはパーソナルデジタルアシスタントなどの機器のユーザに有益な方法でディスプレイされる。【選択図】図２
2008524940.tif 000002
【特許請求の範囲】
【請求項１】
プログラムを実行することができるプロセッサと、
前記プロセッサと通信関係をもつメモリとを備え、前記メモリは記憶された番号のストリングをもち、さらに、
前記プロセッサと通信関係をもつディスプレイと、
前記プロセッサによって実行することができ、前記プロセッサに、（ａ）入力データを受けさせ、（ｂ）前記入力データをもつ記憶されたストリングを識別させ、識別された候補を与えさせ、（ｃ）識別された候補を前記ディスプレイに与えさせ、前記入力データが識別された候補で強調されるようにすることができるプログラムをもつソフトウエアとを備えたことを特徴とする装置。
【請求項２】
前記ソフトウエアは前記プロセッサによって実行することができ、識別された候補を前記ディスプレイに与え、識別された候補の第１側に入力データをもつ候補が識別された候補の第２側に入力データをもつ候補の前に与えられるようにすることができるプログラムをもつことを特徴とする請求項１に記載の装置。
【請求項３】
前記第１側は識別された候補の右側であり、前記第２側は識別された候補の左側であることを特徴とする請求項２に記載の装置。
【請求項４】
他の識別された候補が識別された候補の一方側に入力データをもつ候補の後に与えられるようにしたことを特徴とする請求項２に記載の装置。
【請求項５】
候補の第１側付近にストリングをもつ他の候補を候補の第２側付近にストリングをもつ他の候補の前に配置することによって他の識別された候補がディスプレイされるようにしたことを特徴とする請求項４に記載の装置。
【請求項６】
ディスプレイを提供し、
番号入力データを受け、
入力データをもつ記憶されたストリングを識別し、識別された候補を与え、
識別された候補を前記ディスプレイに与え、前記入力データが識別された候補で強調されることを特徴とする候補をディスプレイする方法。
【請求項７】
識別された候補がリストとして与えられ、前記リストは候補の第１側に入力データをもつ候補が識別された候補の第２側に入力データをもつ候補の前に与えられるよう作成されることを特徴とする請求項６に記載の方法。
【請求項８】
前記第１側は識別された候補の右側であり、前記第２側は識別された候補の左側であることを特徴とする請求項７に記載の方法。
【請求項９】
他の識別された候補が識別された候補の一方側に入力データをもつ候補の後に与えられることを特徴とする請求項７に記載の方法。
【請求項１０】
候補の第１側付近にストリングをもつ他の識別された候補を候補の第２側付近にストリングをもつ他の識別された候補の前に配置することによって他の識別された候補が与えられることを特徴とする請求項９に記載の方法。
【請求項１１】
コンピュータによって実行することができる記憶されたプログラムをもち、前記プログラムはコンピュータに、（ａ）ユーザからの入力データを受けさせ、（ｂ）前記入力データをもつ番号ストリングを識別させ、（ｃ）識別された候補を前記ディスプレイに与えさせ、前記入力データが識別された候補で強調されるようにしたことを特徴とするコンピュータ読み取り可能メモリ装置。
【請求項１２】
前記プログラムは前記コンピュータに識別された候補をディスプレイに与えさせ、識別された候補の第１側に入力データをもつ識別された候補が識別された候補の第２側に入力データをもつ候補の前に与えられるようにしたことを特徴とする請求項１１に記載のメモリ装置。
【請求項１３】
前記プログラムは前記コンピュータに識別された候補をディスプレイに与えさせ、他の識別された候補が識別された候補の一方側に入力データをもつ候補の後に与えられるようにしたことを特徴とする請求項１２に記載のメモリ装置。
【請求項１４】
前記プログラムは前記コンピュータに、識別された候補をディスプレイに与えさせ、候補の第１側付近にストリングをもつ他の候補を候補の第２側付近にストリングをもつ他の候補の前に配置することによって他の識別された候補が与えられるようにしたことを特徴とする請求項１３に記載のメモリ装置。
【発明の詳細な説明】
【技術分野】
【０００１】
この発明は、電話番号をディスプレイする方法および装置に関するものである。
【背景技術】
【０００２】
携帯電話などの電子機器およびその電子機器を動作させるようインストールされる多数のソフトウエアコンポーネントの複雑さにともない、デザイナは小さい労力でコンポーネントをアクセスする方法を提供する必要がある。ユーザがコンポーネントに達すると、ユーザは最小限の労力でコンポーネントを利用することができるようにすることが好ましい。例えば、多くの携帯電話はテキストメッセージを提供するが、キーパッドの小さいサイズたのため、テキスト入力を容易に行なう方法が提供されてきた。ほとんどの携帯電話では、ユーザが入力しようとするテキストを予測する予測アルゴリズムが利用され、ユーザは予測されたテキストを識別し、予測されたテキストを選択することができ、テキストからなるすべての文字を入力する必要はない。
【０００３】
最新の方法でさえ、電子機器を使用することは困難である。機器に記憶されている情報の量が大きく、ユーザが入力しようとしているものは何かを予測するだけではユーザが選択する多数の候補に対応することはできない。この問題は、特に電話番号で明らかである。ユーザが３桁または４桁の所望の電話番号を入力するとき、多数の候補が現れる。候補の数が大きすぎ、機器の予測性にほとんど価値はなく、適当数の候補が与えられる前、多くの電話番号の桁数を入力せねばならない。この場合、適当数の候補を得るに十分な桁数を入力し、所望の候補を選択するタスクは、単純に電話番号全体を入力することよりも面倒である。
【０００４】
多数の電話番号の場合、ユーザに関連情報をディスプレイするだけではなく、それをデータ入力と論理的に整合する様式で達成する方法を提供することが好ましい。
【発明の開示】
【０００５】
この発明は、携帯電話またはパーソナルデジタルアシスタントなどの装置として具体化される。この装置は、プログラムを実行することができるプロセッサを有する。メモリがプロセッサと通信関係にあり、メモリは記憶された番号のストリングをもつ。ディスプレイがプロセッサと通信関係にあり、ユーザとの通信関係に使用される。ディスプレイはモニタであってもよく、液晶ディスプレイであってもよく、発光ダイオードのアレイであってもよい。この装置はプロセッサによって実行することができるプログラムをもつソフトウエアを有するものであってもよく、これはプロセッサに、（ａ）入力データを受けさせ、（ｂ）入力データをもつ記憶されたストリングを識別させ、識別された候補を与えさせ、（ｃ）識別された候補をディスプレイに与えさせ、入力データが識別された候補で強調されるようにする。
【０００６】
この発明は、方法として具体化される。この方法では、番号の入力データが受けられ、記憶されたストリングが識別される。識別された記憶されたストリングはストリングのどこかに入力データをもつ記憶されたストリングであってもよい。識別された記憶されたストリングがディスプレイに識別された候補として与えられ、入力データが識別された候補で強調されるようにしてもよい。その後、ユーザは識別された候補から選択することができる。
【０００７】
この発明は、コンピュータ読み取り可能メモリ装置として具体化される。このメモリ装置は、コンピュータによって実行することができる記憶されたプログラムをもつ。プログラムはコンピュータに、（ａ）ユーザからの入力データを受けさせ、（ｂ）入力データをもつ番号ストリングを識別させ、（ｃ）識別された候補をディスプレイに与えさせることができ、入力データが識別された候補で強調される。
以下、この発明の実施例を説明する。
【発明を実施するための最良の形態】
【０００８】
この発明は、電話をかける装置１０として具体化される。この装置１０にはプロセッサ１３、メモリ１６、ディスプレイ１９およびソフトウエア２２がある。メモリ１６は記憶された番号のストリング２５をもつ。例えば、番号ストリング２５は装置１０のオーナに呼び出された電話番号であってもよく、番号は装置１０のオーナが要望する識別されたものであってもよい。
【０００９】
メモリ１６およびディスプレイ１９はプロセッサ１３と通信関係をもち、ソフトウエア２２のプログラム２８がプロセッサ１３によって実行され、あるタスクが達成される。例えば、プログラム２８はプロセッサ１３にメモリ１６に記憶された電話番号２５を識別させ、電話番号２５をディスプレイ１９に与え、それがユーザに見えるようにする。ユーザはディスプレイされた電話番号を選択し、ユーザの要望を指示し、その電話番号２５を呼び出す。
【００１０】
ソフトウエア２２のプログラム２８はプロセッサ１３によって実行することができ、プロセッサ１３に、（ａ）入力データをキーパッド３１から受けさせ、（ｂ）入力データをもつ記憶された番号ストリング２５を識別させ、（ｃ）識別された記憶された番号ストリング２５（“識別された候補３４”）をディスプレイ１９に与えさせ、入力データが識別された候補３４で強調されるようにする。この方法において、ユーザはどの識別された候補３４が所望のものであるか、容易に決定することができる。例えば、ユーザは所望の電話番号が電話番号の最後に入力データをもつことを認識している場合、ユーザは識別された候補３４を見て、識別された候補３４の他の位置に入力データをもつものではなく、最後に入力データをもつものを検討する。
【００１１】
ソフトウエア２２はプロセッサ１３に識別された候補３４をディスプレイ１９に与えさせるプログラム２８を含み、識別された候補３４の第１側に入力データをもつ候補３４が、識別された候補３４の第２側に入力データをもつ候補３４の前に与えられるようにする。例えば、左から右に読まれる電話番号の場合、番号の左側に入力データをもつ電話番号よりも番号の右側に入力データをもつ電話番号がユーザに望まれやすく、それはほとんどの者は電話番号の第１桁よりも電話番号の最後の桁を思い出しやすいからである。
【００１２】
第１側または第２側に入力データをもたない他の候補３４については、ソフトウエア２２はプロセッサ１３に一方側に入力データをもつ候補３４の後にそれを与えさせる。候補３４の第１側付近にストリングをもつものを、候補３４の第２側付近にストリングをもつものの前に配置することによって、他の候補３４がディスプレイ１９に作成される。この場合、ユーザは所望の候補３４を迅速に識別することができる。
【００１３】
この発明は、方法として具体化される。この方法では、ディスプレイが提供される（１００）。入力装置によって番号入力データが与えられ（１０３）、番号入力データがプロセッサに受けられる（１０６）。プロセッサはメモリを検索し（１０９）、入力データをもつ記憶されたストリングを識別する（１１２）。入力データをもつ記憶されたストリングが識別された候補として与えられ（１１５）、入力データが強調された状態でディスプレイされる。識別された候補がリストとして与えられる（１１５）。リストは候補の第１側に入力データをもつ候補が、識別された候補の第２側に入力データをもつ候補の前に与えられるよう作成される（１１５）。例えば、第１側は識別された候補の右側であり、第２側は識別された候補の左側である。他の識別された候補（“ＯＩＣｓ”）が一方側に入力データをもつ候補の後に与えられる。候補の第１側付近にストリングをもつＯＩＣｓを、候補の第２側付近にストリングをもつＯＩＣｓの前に配置することによってＯＩＣｓが与えられる。
【００１４】
この発明は、この発明の方法を実施するメモリ装置２００として具体化される。例えば、メモリ装置２００はコンピュータのマイクロプロセッサ１３によって実行することができる記憶されたプログラム２８をもつコンピュータ読み取り可能メモリ装置である。メモリ装置２００はプログラムをメモリ装置２００から抜き出す読み取り装置２０３に接続されたソフトウエアを記憶するプログラム可能読み取り専用メモリ装置であってもよい。プログラム２８はコンピュータに、（ａ）ユーザからの入力データを受けさせ、（ｂ）入力データをもつ番号ストリングを識別させ、（ｃ）識別された候補をディスプレイ１９に与えさせ、入力データが識別された候補で強調されるようにすることができる。プログラム２８はマイクロプロセッサ１３に識別された候補からディスプレイ１９に与えさせ、識別された候補の第１側に入力データをもつ識別された候補が、識別された候補の第２側に入力データをもつ候補の前に与えられるようにすることができる。メモリ装置２００のプログラム２８はコンピュータにＯＩＣｓを一方側に入力データをもつ候補の後に与えさせることができる。例えば、メモリ装置２００のプログラムはコンピュータに識別された候補をディスプレイに与えさせ、候補の第１側付近にストリングをもつＯＩＣｓが候補の第２側付近にストリングをもつＯＩＣｓの前に与えられるようにすることができる。
【００１５】
この発明の実施例の説明において、この発明によって電話番号を容易に得ることができるのは理解されるであろう。例えば、ビジネス電話システムでは、３桁また４桁の内線番号をダイヤルすることにより、社内の１つの電話から社内の他の電話を呼び出すことは普通である。社外から内線番号と同様の最後の３桁または４桁をもつ長い番号をダイヤルすることも普通である。したがって、この発明を使用すると、ユーザは例えば、最後の３桁を入力するだけで、機器に電話番号全体を検索およびディスプレイさせることができ、電話番号を携帯電話に配置し、ユーザがディスプレイされているものから容易に電話番号を識別するようにすることができる。
【００１６】
例えば、電話番号８８２  ２４３  ５４０３を呼び出すユーザを考慮されたい。ユーザは電話番号の最後の３桁または４桁を思い出すことが多く、それは番号が３桁または４桁で終わるプリント、すなわちブロック様式で記録されるからであり、その番号は最後にダイヤルした番号であり、ユーザの記憶に残るからであり、オフィスにいるとき、ユーザは内線番号をダイヤルする習慣をもつからである。ユーザが“４０３”を機器に電話番号８８２２４３５４０３をディスプレイさせる手段として入力すると、この発明の電話は入力されたストリング“４０３”をもつ記憶された候補の電話のメモリを検索する。所望の電話番号の最後ではない位置に“４０３”ストリングをもつ番号が存在することがある。例えば、カナダ、アルバータの市外局番が４０３であるため、機器はその市外局番をもつ記憶された電話番号をディスプレイする。
【００１７】
ユーザは前後関係を考慮して数字のストリングをダイヤルするため、電話は候補を前後関係が容易に識別され、所望の候補を容易に選択することができるようディスプレイする。例えば、機器がそのメモリを検索し、候補４０３２３１０７１０および９４９２４０３６５１および８８２２４３５４０３を見つけた場合、それらの候補がディスプレイされ、入力されたストリングが強調され、ユーザは所望の番号を容易に識別することができる。この場合、ユーザは入力されたストリング“４０３”を最後の３桁にもつ電話番号を見つける。したがって、候補が“４０３２３１０７１０”としてディスプレイされ、それに“９４９２４０３６５１”が続き、それに“８８２２４３５４０３”が続く。そうすることによって、ユーザの注意が最後の候補の終わりの強調されたエレメントに向けられる。その後、ユーザは最後の候補を選択し、機器はその電話をかける。
【００１８】
ユーザの注意を候補の入力された数字の位置に向ける幾つかの方法がある。例えば、色、メタリック化、フォントサイズ、および反転映像を含む強調方法が使用される。この説明において、用語“強調”は強調されていない部分がディスプレイされる方法とは異なった方法で強調された部分がディスプレイされるようにすることによってユーザの注意をその位置に向けるメカニズムを意味する。この方法で、入力された数字を残りのディスプレイされた数字から識別し、ユーザの注意を引くことができる。これはユーザがディスプレイから読み取り、所望の候補を選択する検索労力を最小限にとどめる。
【００１９】
候補をユーザにとって便利であるよう順序付けても良い。その順序において、入力されたストリングを最初にディスプレイし、電話番号の最後に入力されたストリングをもつ候補を次にディスプレイし、電話番号の始めに入力されたストリングをもつ候補を次にディスプレイするようにしてもよい。入力されたストリングをもつすべての他の候補が候補リストの最後に向かってディスプレイされるようにしてもよい。この順序はユーザに有益であり、それは（１）最後の桁として入力されたストリングをもつ電話番号の番号が小さく、ユーザがその番号を覚えている可能性は高いからであり、（２）ユーザが入力した最初の番号は所望の電話番号の市外局番である可能性が高く、このような番号が多いからである。
【００２０】
候補の前端付近に入力された番号をもつ候補を、候補の後端付近に入力された番号をもつ候補の前に配置することによって、最後の桁または最初の桁に入力された番号をもたない電話番号を順序付けてもよい。例えば、ディスプレイされる候補が“９４９２４０３６５１”及び“２３４０３２３１０７”および“８８２２４４０３３５”であるとき、順序は“２３４０３２３１０７”に“９４９２４０３６５１”が続き、それに“８８２２４４０３３５”が続くよう構成される。
【００２１】
この発明の方法では、機器がユーザに与えられ、ユーザは機器のキーパッドの番号などの一連の文字を選択し、機器に文字のストリングを与える。機器は文字のストリングをリストとしてモニタにディスプレイする。機器はストリングをもつ記憶された入力データのメモリを検索する。ストリングをもつ入力データがリストとしてディスプレイされ、それがユーザによって選択される候補として識別される。リストはストリングがディスプレイされ、それに候補の終わりにストリングをもつ候補が続き、それに候補の始めにストリングをもつ候補が続き、それに候補の他の位置にストリングをもつ候補が続くよう作成される。候補の他の位置にストリングをもつ候補については、候補の前端付近にストリングをもつ候補が、候補の後端付近にストリングをもつ候補の前にディスプレイされるよう作成される。
【図面の簡単な説明】
【００２２】
【図１】この発明のメモリ装置を示す説明図である。
【図２】この発明の方法を示す説明図である。
【図１】
2008524940.tif 000003
【図２】
2008524940.tif 000004
【国際調査報告】
2008524940.tif 000005
2008524940.tif 000006